(57)【要約】【課題】技術員の現場への出向が無駄になることを防止できる昇降装置の遠隔監視システムを提供する。【解決手段】遠隔監視システム１は、イベントコードを出力する制御マイコン２１を有するエレベータ２と、制御マイコン２１のアドレスに対応する複数の記憶位置を有し、各記憶位置に異なる条件を記憶した第二サーバー４と、第二サーバー４から記憶位置と条件とを取得可能な第一サーバー３と、携帯端末５と、を備える。第一サーバー３は、予め通知されたイベントコードに関連している条件と記憶位置とを第二サーバー４から取得し、その条件と、記憶位置と対応する制御マイコン２１のアドレスに記憶された情報とを比較し、一致したときにこのイベントコードに対応した事象が発生している旨を携帯端末５に通知し、一致しないときにこのイベントコードに対応した事象が発生していない旨を携帯端末５に通知する。【選択図】図１
2018095347.tif 000002
【特許請求の範囲】
【請求項１】
予め設定されているアドレスに記憶された情報を取得情報に応じて書き換えると共に、書き換えた内容が前記取得情報に関連する単一または複数の条件を満たしたときにその条件に対応するイベントコードを出力する制御マイコンを有する昇降装置と、
前記制御マイコンのアドレスに対応する複数の記憶位置を有し、各記憶位置に異なる条件を記憶した記憶部と、
前記制御マイコンと通信可能で且つ前記記憶部から前記記憶位置と共に該記憶位置と対応する条件を取得可能な端末と、
前記端末と通信可能な技術員携帯端末と、
を備え、
前記端末は、予め通知されたイベントコードに関連している条件であって前記記憶位置に記憶されている条件と該条件を記憶している記憶位置とを前記記憶部から取得し、その条件と、前記記憶位置と対応する前記制御マイコンのアドレスに記憶された情報とを比較し、一致したときに前記予め通知されたイベントコードに対応した事象が発生している旨を前記技術員携帯端末に通知し、一致しないときに前記予め通知されたイベントコードに対応した事象が発生していない旨を前記技術員携帯端末に通知する、ことを特徴とする昇降装置の遠隔監視システム。
【請求項２】
前記記憶部は、複数のイベントコードと、イベントコード毎の発生条件であって単一または複数の条件を組み合わせた発生条件と、を関連づけて記憶し、
前記端末は、前記予め通知されたイベントコードと対応するイベントコードに関連付けられた発生条件を介して前記単一または複数の条件を前記記憶部から抽出し、抽出した条件を用いて前記比較を行う、請求項１に記載の昇降装置の遠隔監視システム。
【請求項３】
前記端末は、前記技術員携帯端末に対し、前記通知にあわせて前記比較に用いた情報を送信する、請求項１又は２に記載の昇降装置の遠隔監視システム。
【発明の詳細な説明】
【技術分野】
【０００１】
本発明は、エレベータやエスカレータといった昇降装置の運転状況等を遠隔監視する昇降装置の遠隔監視システムに関する。
【背景技術】
【０００２】
従来から、昇降装置の動作状況を監視する遠隔監視システムが提供されている。遠隔監視システムは、動作を制御するための制御マイコンを含む昇降装置と、昇降装置の制御マイコンに対して通信可能に接続され、昇降装置の動作を遠隔で監視するための端末とを備える（特許文献１参照）。
【０００３】
かかるシステムでは、監視センターの端末（監視するための端末）が昇降装置の動作状況（昇降装置の経時的な状態）を示すイベントコードであって、昇降装置（制御マイコン）から取得したイベントコードを表示することで、監視センターの監視員に対して昇降装置の動作状況（運転停止等）を報知する。これに伴い、監視員は、必要に応じて技術員に現場への出向を要請し、現場に出向した技術員は、報知された昇降装置の動作状況に対応した保守作業を行う。
【０００４】
ところで、出向の要請を受けた技術員が現場に到着したときに、出向の要否の判断の基にされたイベントコードに示される事象が解消されていることがある。そのため、技術員の出向が無駄になる場合がある。
【先行技術文献】
【特許文献】
【０００５】
【特許文献１】特開２００３−２１２４４７号公報
【発明の概要】
【発明が解決しようとする課題】
【０００６】
そこで、本発明は、技術員の現場への出向が無駄になることを防止できる昇降装置の遠隔監視システムを提供する。
【課題を解決するための手段】
【０００７】
本発明の昇降装置の遠隔監視システムは、予め設定されているアドレスに記憶された情報を取得情報に応じて書き換えると共に、書き換えた内容が前記取得情報に関連する単一または複数の条件を満たしたときにその条件に対応するイベントコードを出力する制御マイコンを有する昇降装置と、前記制御マイコンのアドレスに対応する複数の記憶位置を有し、各記憶位置に異なる条件を記憶した記憶部と、前記制御マイコンと通信可能で且つ前記記憶部から前記記憶位置と共に該記憶位置と対応する条件を取得可能な端末と、前記端末と通信可能な技術員携帯端末と、を備え、前記端末は、予め通知されたイベントコードに関連している条件であって前記記憶位置に記憶されている条件と該条件を記憶している記憶位置とを前記記憶部から取得し、その条件と、前記記憶位置と対応する前記制御マイコンのアドレスに記憶された情報とを比較し、一致したときに前記予め通知されたイベントコードに対応した事象が発生している旨を前記技術員携帯端末に通知し、一致しないときに前記予め通知されたイベントコードに対応した事象が発生していない旨を前記技術員携帯端末に通知する、ことを特徴とする。
【０００８】
上記昇降装置の遠隔監視システムでは、出向に向かう技術員が、必要なときに、予め通知されたイベントコードに対応した事象が発生しているか否かを確認できる。その結果、技術員の現場（イベントコードの対象となった昇降装置）への出向が無駄になることを防止できる。
【０００９】
前記昇降装置の遠隔監視システムでは、前記記憶部は、複数のイベントコードと、イベントコード毎の発生条件であって前記単一または複数の条件を組み合わせた発生条件と、を関連づけて記憶し、前記端末は、前記予め通知されたイベントコードと対応するイベントコードに関連付けられた発生条件を介して単一または複数の条件を前記記憶部から抽出し、抽出した条件を用いて前記比較を行ってもよい。
【００１０】
かかる構成によれば、記憶部が、複数のイベントコードとこれらイベントコードの発生条件を関連づけて記憶しているため、端末は、予め通知されたイベントコードから、取得情報に関連する単一または複数の条件を迅速に得ることができる。
【００１１】
前記昇降装置の遠隔監視システムでは、前記端末は、前記技術員携帯端末に対し、前記通知にあわせて前記比較に用いた情報を送信してもよい。
【００１２】
かかる構成によれば、技術員は、比較に用いた情報（予め通知されたイベントコードに関連している条件、及び、記憶位置と対応する制御マイコンのアドレスに記憶された情報等）を確認することで、昇降装置に発生し得る事象を予測することができる。
【発明の効果】
【００１３】
以上より、本発明によれば、技術員の現場への出向が無駄になることを防止可能な昇降装置の遠隔監視システムを提供できる。
【図面の簡単な説明】
【００１４】
【図１】図１は、本発明の一実施形態に係る昇降装置の遠隔監視システムのブロック図である。
【図２】図２は、同実施形態に係る昇降装置の遠隔監視システムの処理に用いるテーブルを示す図である。
【図３】図３は、同実施形態に係る昇降装置の遠隔監視システムの処理を示すフローチャート図である。
【図４】図４は、同実施形態に係る昇降装置の遠隔監視システムの処理を示すフローチャート図である。
【図５】図５は、本発明の変形例に係る昇降装置の遠隔監視システムのブロック図である。
【発明を実施するための形態】
【００１５】
以下、本発明に係る昇降装置の遠隔監視システム（以下、単に遠隔監視システムという）について説明する。遠隔監視システムは、昇降装置の動作状況を遠隔で監視するシステムである。この遠隔監視システムでは、昇降装置の動作状況に異常な事象が生じた場合、この事象に関する情報が技術員に通知される。また、この遠隔監視システムでは、技術員が、この通知を受けた後、この通知に対応する事象が発生しているか否かの調査を端末に要求し、端末から調査結果を受けて、調査を要求した時点においてこの事象が発生しているか否かを確認することができる。尚、昇降装置にはエレベータ、エスカレータ等があるが、以下では、エレベータの遠隔監視システムを説明する。
【００１６】
遠隔監視システムは、図１に示すように、制御マイコン２１を有するエレベータ２と、制御マイコン２１に通信可能な第一サーバー（端末）３と、第一サーバー３に接続された第二サーバー（記憶部）４と、第一サーバー３に通信可能な携帯端末（技術員携帯端末）５とを備える。本実施形態の遠隔監視システム１は、エレベータ２と第一サーバー３との間に接続された遠隔監視ユニット６を備える。
【００１７】
尚、図１では一台のエレベータ２が示されているが、本実施形態の遠隔監視システム１に備えられるエレベータは、複数台存在する。また、図１では一台の携帯端末５が示されているが、本実施形態の遠隔監視システム１に備えられる携帯端末は、複数台存在する。
【００１８】
エレベータ２は、昇降路内を昇降するかご等を有する動作部２０、及び、イベントコードを出力する制御マイコン２１等を有する。イベントコードは、エレベータ２自身の動作状況に対応づけられたコードである。具体的に、イベントコードは、かごの位置情報、かごドアの開閉情報、モーターの駆動情報、及び、停電等を示す。
【００１９】
制御マイコン２１は、第一サーバー３に通信系統Ｒ１を介して接続されている。通信系統Ｒ１は、例えば、制御マイコンから順に遠隔監視ユニット６と電話回線とを介して第一サーバー３に通信可能であり、且つ、第一サーバー３から逆に電話回線と遠隔監視ユニット６とを介して制御マイコン２１に通信可能な通信系統である。
【００２０】
制御マイコン２１は、動作部２０の各々の構成等から、エレベータ２自身の動作状況に関する情報を取得すると共に、この情報を記憶することができる。例えば、制御マイコン２１は、情報を記憶するメモリを含み、このメモリには情報の保存先のアドレスが予め設定されており、アドレス毎に種々の情報が記憶される。即ち、制御マイコン２１は、予め設定され且つ情報を記憶するアドレス（保存先アドレス）を有する。
【００２１】
また、制御マイコン２１は、このアドレスに記憶された情報を取得情報に応じて書き換えると共に、この書き換えた内容が取得情報に関連する単一または複数の条件を満たしたときに、異常を検出し、その条件に対応するイベントコードを出力する。制御マイコン２１が取得すると共に記憶する情報としては、例えば、かごの走行速度、かごドアの開閉等に関する情報がある。
【００２２】
第二サーバー４は、データベース４０を記憶している。また、第二サーバー４は、例えば、有線回線により第一サーバー３に接続され、例えば、Ｐ２Ｐ（Ｐｅｅｒ  ｔｏ  Ｐｅｅｒ）により接続されている。
【００２３】
データベース４０は、上述した制御マイコン２１によるイベントコード出力のプロセス（制御マイコン２１が、自身のメモリのアドレスに記憶された情報を、取得情報に応じて書き換えると共に、この書き換えた内容が取得情報に関連する単一または複数の条件を満たしたとき（異常を検出したとき）、その条件に対応するイベントコードを出力するというプロセス）を反映したデータベースである。データベース４０は、制御マイコン２１のアドレスに対応する複数の記憶位置を有し、各記憶位置に異なる条件を記憶している。本実施形態の遠隔監視システム１では、データベース４０は、複数のイベントコードと、イベントコード毎の発生条件であって単一または複数の条件を組み合わせた発生条件とを関連づけて記憶している。
【００２４】
例えば、データベース４０は、制御マイコン２１のアドレスに対応する複数の記憶位置に記憶された条件に関する情報を有するテーブル１と、複数のイベントコードに関する情報、及び、イベントコード毎の発生条件に関する情報（論理式）とを有するテーブル２とを含む。
【００２５】
テーブル１は、図２に示すように、行番号、基準アドレス、型、ビット、異常値、及び、比較演算についてのデータをそれぞれ有する。基準アドレスは、制御マイコン２１のメモリのアドレスを示す。行番号は、テーブル１における記憶位置に対応しているため、各行番号に対応するレコードの情報（基準アドレス、型、ビット、異常値、及び比較演算の項目の組み合わせ）は、各記憶位置に設定された異なる条件を示す。
【００２６】
型の項目に０が入っている場合、制御マイコン２１における記憶位置（例えば、記憶位置に記憶されている基準アドレス）に対応するアドレスに記憶された情報が、ビット列のデータであることを示す。型の項目に自然数が入っている場合、制御マイコン２１における記憶位置（例えば、記憶位置に記憶されている基準アドレス）に対応するアドレスに記憶された情報が、この自然数（テーブル１の型の項目に入っている自然数）のバイト数のデータであることを示す。比較演算の項目に入っている数値は、異常を検出する数式を示す。例えば、０のとき「対象の値＝異常値」となる場合に異常を検出することを示し、１のとき「対象の値≦異常値」となる場合に異常を検出することを示し、２のとき「対象の値≧異常値」となる場合に異常を検出することを示し、３のとき「対象の値＞異常値」となる場合に異常を検出することを示し、４のとき「対象の値＜異常値」となる場合に異常を検出することを示す。
【００２７】
型の項目に０が入っている場合、記憶位置（例えば、記憶位置に記憶されている基準アドレス）に対応するアドレスに記憶された情報のうちビットの項に入っているビットの情報が、異常値と比較演算との組み合わせを満たしていれば、このアドレスに記憶された情報が異常を検出しているとみなす。具体的に、行番号１について、アドレス３０００に記憶された情報のうち、２ビット目（ビット１とも称する）の情報が異常値１と一致していれば、アドレス３０００に記憶された情報が、異常を検出しているとみなす。
【００２８】
型の項目に自然数が入っている場合、記憶位置（例えば、記憶位置に記憶されている基準アドレス）に対応するアドレスに記憶された情報が、異常値と比較演算との組み合わせを満たしていれば、異常を示しているとみなす。具体的に、行番号２について、アドレス３１００に記憶された情報が、異常値６０を上回っていれば、異常を示しているとみなす。
【００２９】
テーブル２は、イベントコード、及び、論理式についてのデータをそれぞれ有する。論理式の項目は、イベントコード毎の発生条件（イベントコード毎のイベントコードの出力条件）であって単一または複数の条件を組み合わせた発生条件である。例えば、論理式の項目は、テーブル１における行番号の組み合わせを示している。
【００３０】
例えば、イベントコード０１は、テーブル１の１行目及び２行目の条件を同時に満たしたとき、または、テーブル１の３行目及び４行目の条件を同時に満たしたときに出力される。イベントコード０２は、テーブル１の１行目及び３行目の条件を同時に満たしたとき、または、テーブル１の２行目及び５行目の条件を同時に満たしたときに出力される。
【００３１】
本実施形態の遠隔監視システム１では、第一サーバー３は、通信系統Ｒ２を介して、携帯端末５に通信可能である。通信系統Ｒ２は、例えば、第一サーバー３からインターネットを介して携帯端末５に通信可能であり、且つ、携帯端末５からインターネットを介して第一サーバー３に通信可能な通信系統である。
【００３２】
第一サーバー３は、ＣＰＵ（Ｃｅｎｔｒａｌ  Ｐｒｏｃｅｓｓｉｎｇ  Ｕｎｉｔ）等を有する。第一サーバー３では、ＣＰＵが所望のプログラム（アプリケーション）を実行することで、機能的に、処理部３０が形成される。
【００３３】
処理部３０は、第二サーバー４から、記憶位置と、記憶位置に記憶され且つイベントコードに関連する条件とを取得し、取得した条件と、制御マイコン２１における記憶位置（例えば、記憶位置に記憶されている基準アドレス）に対応するアドレスに記憶された情報とを比較する。処理部３０は、比較結果が一致したときにこのイベントコードに対応した事象が発生している旨を携帯端末５に通知し、比較結果が一致しないときにこの事象が発生していない旨を携帯端末５に通知する。本実施形態の遠隔監視システム１では、処理部３０は、イベントコードに関連付けられた発生条件を介して単一または複数の条件を第二サーバー４のテーブル１から抽出し、抽出した条件を用いて前記比較を行う。以下、処理部３０の処理について詳細に説明する。
【００３４】
処理部３０は、携帯端末５から、調査対象となる対象イベントコード及び対象イベントコードが出力されたエレベータ２の機番（エレベータ２の識別番号）と、通知先（例えば、携帯端末５のＩＰアドレス）とを受信すると、対象イベントコードとテーブル２とを比較する。処理部３０は、この比較結果が一致した場合、テーブル２の論理式を構成する要素に分解する。ここでいう論理式を構成する要素とは、例えば、テーブル２における論理式で用いられる行番号である。具体的に、イベントコード０１に対応する論理式を構成する要素は行番号１、２、３、４であり、イベントコード０２に対応する論理式を構成する要素は行番号１、２、３、５である。処理部３０は、テーブル２の論理式を構成する要素に分解すると、テーブル１の行のうち分解した要素に該当する行を特定する。
【００３５】
尚、処理部３０は、対象イベントコードとテーブル２との比較結果が一致しない場合、「調査不可」の旨を携帯端末５に通知して、処理を終了する。
【００３６】
処理部３０は、テーブル１における特定した行から、記憶位置の項目及び条件に関する項目（型、ビット、異常値、及び比較演算の項目）を抽出する。また、処理部３０は、制御マイコン２１から、記憶位置と対応するアドレスからこのアドレスに記憶されている情報を取得すると、この取得した情報と、テーブル１から抽出した条件とを比較する。
【００３７】
処理部３０は、この比較結果が一致すると（制御マイコン２１から取得した情報が、テーブル１から抽出した条件を満たすと）、「対象イベントコードに対応した事象の発生あり」の旨を携帯端末５に通知して、処理を終了する。本実施形態の遠隔監視システム１では、処理部３０は、この通知の前に、各条件の比較結果を携帯端末５に通知する。
【００３８】
各条件の比較結果として、例えば、イベントコード０１が調査対象である場合、テーブル１の１行目及び２行目の内容と、アドレス３０００における２ビット目（ビット１とも称する）の情報が１であり、この情報が異常値１と一致しているため異常が検出された旨と、アドレス３１００に記憶された情報が７０であり、この情報が異常値６０を上回っているため異常が検出された旨とが通知される。
【００３９】
尚、処理部３０は、この比較結果が一致しないと（制御マイコン２１から取得した情報が、テーブル１から抽出した条件を満たさないと）、「対象イベントコードに対応した事象の発生なし」の旨を携帯端末５に通知して、処理を終了する。本実施形態の遠隔監視システム１では、処理部３０は、この通知の前にも、各条件の比較結果を携帯端末５に通知する。
【００４０】
本実施形態の遠隔監視システム１では、遠隔監視ユニット６は、通信系統Ｒ３を介して、携帯端末５に通信可能である。また、遠隔監視ユニット６は、携帯端末５に通信可能な状態において、制御マイコン２１から出力されたイベントコード及びエレベータ２の機番を携帯端末５に通知することができる。通信系統Ｒ３は、例えば、遠隔監視ユニット６から順に電話回線と第一サーバー３とインターネットとを介して携帯端末５に通信可能であり、且つ、携帯端末５から逆にインターネットと第一サーバー３と電話回線とを介して遠隔監視ユニット６に通信可能な通信系統である。
【００４１】
携帯端末５は、例えば、ＰＤＡ（Ｐｅｒｓｏｎａｌ  Ｄｉｇｉｔａｌ  Ａｓｓｉｓｔａｎｔ）、ノートパソコン等の持ち運び可能な端末である。携帯端末５は、例えば、必要に応じて現場（エレベータ２）に出向することが可能であり且つエレベータ２の保守作業等を担当する技術員より所持される。本実施形態の遠隔監視システム１では、携帯端末５は、入力部５０及び出力部５１を有する。さらに、携帯端末５は、第一サーバー３と接続した状態で、第一サーバー３のプログラム（アプリケーション）を実行させることが可能なブラウザを有する。
【００４２】
携帯端末５の出力部５１は、携帯端末５が受信した情報を出力する。出力部５１は、出力する情報が画像情報や文字情報である場合にはディスプレイであり、出力する情報が音声情報である場合にはスピーカーである。
【００４３】
携帯端末５の入力部５０には、携帯端末５を所持する技術員により情報の入力が可能である。出力部５１は、キーボードや、タッチパネル式のディスプレイである。入力部５０及び出力部５１は、別々の構成であってもよいし、一体的な構成であってもよい。
【００４４】
技術員は、遠隔監視ユニット６から受信したイベントコード及びエレベータ２の機番について出力部５１を介して確認することができる。技術員が、このイベントコードに対応した事象が発生しているか否かを把握したい場合、第一サーバー３と通信可能な状態で、ブラウザにより第一サーバー３のプログラム（アプリケーション）を実行させて、入力部５０にイベントコード及びエレベータ２の機番を入力し、第一サーバー３の処理部３０を機能させることができる。
【００４５】
以下、図３、図４のフローチャート図を用いて、遠隔監視システム１における処理の流れを説明する。以下のフローチャートでは、技術員に、既に遠隔監視ユニット６から故障等が生じたエレベータ２の機番、及び、この故障に対応するイベントコードが通知されていることを前提とする。
【００４６】
携帯端末５が、調査対象となる対象イベントコード及びこのイベントコードが出力されたエレベータ２の機番と通知先（例えば、携帯端末５のＩＰアドレス）とを、第一サーバー３へ送信すると（Ｓ０１、Ｓ０２）、第一サーバー３は、対象イベントコードとテーブル２（テーブル２におけるイベントコード）とを比較する（Ｓ０３）。処理部３０は、この比較結果が一致した場合（Ｓ０４においてＹｅｓ）、テーブル２の論理式を構成する要素（行番号）に分解し（Ｓ０５）、テーブル１から、分解した要素（行番号）に該当する行を特定する（Ｓ０６）。
【００４７】
尚、処理部３０は、対象イベントコードとテーブル２との比較結果が一致しない場合（Ｓ０４においてＮｏ）、「調査不可」の旨を携帯端末５に通知して（Ｓ０７）、処理を終了する。
【００４８】
処理部３０は、テーブル１における特定した行から、記憶位置及びこの記憶位置に記憶された条件（基準アドレス、型、ビット、異常値、及び比較演算の項目）を抽出し（Ｓ０８）、制御マイコン２１から記憶位置と対応するアドレス（基準アドレスに対応するアドレス）に記憶された情報を取得すると（Ｓ０９）、取得した情報とテーブル１から抽出した条件とを比較する（Ｓ１０）。
【００４９】
処理部３０は、この比較結果が一致すると（取得した情報がテーブル１から抽出した条件を満たすと、Ｓ１１においてＹｅｓ）、各条件の比較結果を携帯端末５に通知すると共に（Ｓ１２）、「対象イベントコードに対応した事象の発生あり」の旨を携帯端末５に通知して（Ｓ１３）、処理を終了する。
【００５０】
尚、処理部３０は、この比較結果が一致しないと（取得した情報がテーブル１から抽出した条件を満たさないと、Ｓ１１においてＮｏ）、各条件の比較結果を携帯端末５に通知すると共に（Ｓ１４）、「対象イベントコードに対応した事象の発生なし」の旨を携帯端末５に通知して（Ｓ１５）、処理を終了する。
【００５１】
以上の遠隔監視システム１では、出向に向かう技術員が、必要なときに（任意のタイミングで）、予め通知された（既に通知されている、前もって通知されている）イベントコードに対応した事象が発生しているか否かを確認できる。例えば、遠隔監視システム１では、出向に向かう技術員が、予め通知されたイベントコードの調査を行うよう第一サーバー３に要求する（携帯端末５から第一サーバー３に要求信号が送信される（Ｓ０１））ことで、出向に向かう途中で、このイベントコードに対応した事象が発生しているか否かを確認できる。従って、技術員の現場（イベントコードの対象となったエレベータ２）への出向が無駄になることを防止できる。
【００５２】
具体的に、遠隔監視システム１では、携帯端末５に予めイベントコードが通知された後に、このイベントコードに対応した事象が発生しているか否かが通知されるため、技術員は、必要な場合に（この事象が発生している場合に）、出向を行うことができる。このように、技術員はイベントコードが通知された後のタイミングで、この事象が発生しているか否かを確認できるため、技術員の現場（エレベータ２）への出向が無駄になることを防止できる。
【００５３】
遠隔監視システム１において、データベース４０（第二サーバー４、記憶部）は、複数のイベントコードとこれらイベントコードの発生条件を関連づけて記憶している。そのため、データベース４０は、予め通知されたイベントコードから、制御マイコン２１の取得情報に関連する単一または複数の条件（テーブル１の記憶位置に記憶された条件）を迅速に得ることができる。
【００５４】
また、遠隔監視システム１では、比較に用いた情報（予め通知されたイベントコードに関連している条件、及び、記憶位置と対応する制御マイコン２１のアドレスに記憶された情報等）が携帯端末５に通知されるため、技術員は、この比較に用いた情報を確認することで、エレベータ２に発生し得る事象を予測することができる。
【００５５】
尚、本発明の遠隔監視システムは、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００５６】
例えば、処理部３０は、テーブル１、２を用いて、対象イベントコードに対応する事象が発生しているか否かを判断していたが、この代わりに、テーブル１、２が有する情報や条件が予め設定されたプログラムを用いて、対象イベントコードに対応する事象が発生しているか否かを判断してもよい。また、テーブル１に含まれる条件とテーブル２に含まれる発生条件とは、別々に設定されていてもよいし、この条件とこの発生条件とを一体にまとめた条件として設定されていてもよい。
【００５７】
上記実施形態の遠隔監視システム１は、制御マイコン２１と通信可能で且つデータベース４０から記憶位置と共に記憶位置と対応する条件を取得可能な端末として、第一サーバー３を備えていたが、この端末として、第一サーバー３の代わりに、監視端末やその他の端末を備えてもよい。監視端末は、エレベータ２から離れた建物に設置されると共に、この建物においてエレベータ２を遠隔監視するための端末である。尚、この端末（第一サーバー３）とデータベース４０を含む第二サーバー４（記憶部）とは別々の構成であってもよいし、一つのサーバーで構成されてもよい。
【００５８】
また、上記実施形態の遠隔監視システム１は、複数台のエレベータを備えていたが、一台のエレベータを備えていてもよい。この場合、携帯端末５が、対象イベントコードを第一サーバー３に送信する際に、エレベータ２の機番を送信する必要は無い。また、遠隔監視システム１は、複数台の情報端末を備えていたが、一台の情報端末を備えていてもよい。
【００５９】
さらに、上記実施形態の遠隔監視システム１では、携帯端末５が、ブラウザを有し、このブラウザを介して、第一サーバー３のプログラム（アプリケーション）を実行していたが、第一サーバー３及び携帯端末５の両方がプログラム（アプリケーション）を有していてもよい。この場合、例えば、携帯端末５のプログラムを実行することで、技術員が携帯端末５を操作しなくても、遠隔監視ユニット６から受信した対象イベントコード、エレベータ２の機番、及び通知先を自動的に第一サーバー３に送信することができる。
【００６０】
遠隔監視システム１では、遠隔監視ユニット６から携帯端末５にイベントコード及びエレベータ２の機番が通知され、技術員が予め通知されたイベントコード等を、フローチャートにおけるＳ０１よりも前のタイミングで確認していたが、これに限らず、例えば、第一サーバー３や監視端末から携帯端末５にイベントコードが通知されることで、技術員が、イベントコードを確認していてもよい。
【００６１】
通信系統Ｒ１は、図５に示すように、電話回線の代わりにインターネットを含んでいてもよい。通信系統Ｒ１は、例えば、制御マイコン２１から順に遠隔監視ユニット６とインターネットとを介して第一サーバー３に通信可能であり、且つ、第一サーバー３から逆にインターネットと遠隔監視ユニット６とを介して制御マイコン２１に通信可能な通信系統である。この場合、通信系統Ｒ１，Ｒ２，Ｒ３は、一部（インターネット）で共通していてもよい。また、通信系統Ｒ１は、遠隔監視ユニット６を含んでいなくてもよい。この場合、エレベータ２は、インターネットを介して第一サーバー３に接続される。
【符号の説明】
【００６２】
１…遠隔監視システム、２…エレベータ（昇降装置）、２０…動作部、２１…制御マイコン、３…第一サーバー（端末）、３０…処理部、４…第二サーバー（記憶部）、４０…データベース、５…携帯端末（技術員携帯端末）、５０…入力部、５１…出力部、６…遠隔監視ユニット、Ｒ１，Ｒ２，Ｒ３…通信系統
【図１】
2018095347.tif 000003
【図２】
2018095347.tif 000004
【図３】
2018095347.tif 000005
【図４】
2018095347.tif 000006
【図５】
2018095347.tif 000007